(57)【要約】【課題】操作が判り易く操作性に優れた記録再生装置のリモートコントローラ、およびこれを備えた記録再生システムを提供することにある。【解決手段】  リモートコントローラ３０は、細長い矩形状の操作面３３を有する本体３２を備え、操作面には複数の操作ボタンが設けられている。操作ボタンは、操作面の中心軸上に並んで設けられ記録再生装置の基本動作を実行する複数の基本操作ボタン５６、５８、６０、６２と、それぞれ基本操作ボタンの一側に設けられているとともに基本動作に付随する送り方向の動作を実行する複数の送り方向操作ボタン５６ａ、５８ａ、６０ａ、６２ａと、それぞれ基本操作ボタンの他側に設けられているとともに基本動作に付随する戻り方向の動作を実行する複数の戻り方向操作ボタン５６ｂ、５８ｂ、６０ｂ、６２ｂと、を含んでいる。基本操作ボタン、送り方向操作ボタン、および戻り方向操作ボタンは、操作面の中心軸に対して左右対称に配置されている。【選択図】  図３
2006324823.tif 000002
【特許請求の範囲】
【請求項１】
記録再生装置を遠隔操作するリモートコントローラであって、
中心軸を有し矩形状に形成された操作面を具備した本体と、
前記操作面に設けられた複数の操作ボタンと、を備え、
前記操作ボタンは、
前記操作面の中心軸上に並んで設けられているとともに前記記録再生装置の基本動作を実行する複数の基本操作ボタンと、
それぞれ前記基本操作ボタンの一側に設けられているとともに前記基本動作に付随する送り方向の動作を実行する複数の送り方向操作ボタンと、
それぞれ前記基本操作ボタンの他側に設けられているとともに前記基本動作に付随する戻り方向の動作を実行する複数の戻り方向操作ボタンと、を含み、
前記基本操作ボタン、送り方向操作ボタン、および戻り方向操作ボタンは、前記操作面の中心軸に対して左右対称に配置されているリモートコントローラ。
【請求項２】
前記複数の基本操作ボタンは、前記送り方向操作ボタンおよび戻り方向操作ボタンの寸法よりも大きな寸法に形成され、送り方向操作ボタンおよび戻り方向操作ボタンはそれぞれ互いに等しい寸法に形成されている請求項１に記載のリモートコントローラ。
【請求項３】
前記基本操作ボタンは、再生ボタン、停止ボタン、一次停止ボタン、録画ボタンを含み、
前記送り方向操作ボタンは、前記再生ボタンの一側に設けられた早送り／スローボタン、前記停止ボタンの一側に設けられた次ボタン、前記一次停止ボタンの一側に設けられたコマ送りボタンを含み、
前記戻り方向操作ボタンは、前記再生ボタンの他側に設けられたスロー／早戻しボタン、前記停止ボタンの他側に設けられた前ボタン、前記一次停止ボタンの他側に設けられたコマ戻しボタンを含んでいる請求項２又は３に記載のリモートコントローラ。
【請求項４】
前記本体は、前記操作面に連続した側面を有し、
それぞれ前記複数の操作ボタンに隣接して前記操作面上に表示された複数の数字表示と、前記本体の側面に設けられ、前記複数の操作ボタンの機能を操作モード用ボタンと数字入力用ボタンとに切替える切替えスイッチと、を更に備えている請求項１に記載のリモートコントローラ。
【請求項５】
前記操作ボタンは、前記操作面の中心軸上に前記複数の基本操作ボタンと並んで設けられ画面上のカーソルを上下左右に移動させるカーソル操作ボタンと、前記カーソル操作ボタンの中心部に設けられ、前記カーソルによる選択状態を決定する決定ボタンと、を含んでいる請求項１に記載のリモートコントローラ。
【請求項６】
前記複数の操作ボタンは、前記記録再生装置を操作する複数の装置操作ボタンと、前記記録再生装置とは異なる他の装置を操作する複数の他装置操作ボタンと、を含み、
前記複数の装置操作ボタンは前記操作面の中心軸に対して一側に集中して設けられ、前記複数の他装置操作ボタンは前記操作面の中心軸に対して他側に集中して設けられているとともに、前記装置操作ボタンと同様の機能を有した他装置操作ボタンは前記中心軸に対し前記装置操作ボタンと左右対称位置に設けられている請求項１に記載のリモートコントローラ。
【請求項７】
装置の動作を統括する制御部と、前記制御部の制御に基づいて操作案内用の画面データを選択して出力する案内画面処理制御部とを有した記録再生装置と、
前記記録再生装置を遠隔操作するリモートコントローラと、を備え、
前記リモートコントローラは、操作面を有した本体と、番組表ボタン、表示ボタン、停止ボタン、終了ボタンを含み前記操作面に設けられた複数の操作ボタンと、前記操作ボタンの操作に応じて操作ボタンの機能に対応する送信コードを出力するコード出力部と、出力された送信コードをコマンド信号として送信する送信部と、これらコード出力部および送信部を制御するコントローラ制御部と、を具備し、
前記記録再生装置の案内画面処理制御部は、
前記リモートコントローラの番組表ボタンの操作に応じたコマンド信号が入力された際、番組表を表示する画像データを出力する手段と、
前記リモートコントローラの表示ボタンの操作に応じたコマンド信号が入力された際、前記番組表を現在時刻の番組表に切替えて表示する画像データを出力する手段と、を備えている記録再生システム。
【請求項８】
前記記録再生装置の案内画面処理制御部は、前記リモートコントローラの終了ボタンの操作に応じたコマンド信号が入力された際、現在表示している操作案内用の画像データの階層レベルに拘わらず、画像データ表示を終了する手段を備えている請求項７に記載の記録再生システム。
【請求項９】
前記記録再生装置は、前記リモートコントローラからのコマンド信号に応じて、録画予約を行う手段と、前記予約された予約録画を実行する手段と、前記予約録画の実行途中で、前記リモートコントローラの停止ボタンの操作に応じたコマンド信号が入力された際、前記予約録画を停止する手段と、を備えている請求項７又は８に記載の記録再生システム。
【請求項１０】
前記記録再生装置は、ディスク状の記録媒体に対して情報の記録、読出しを行うディスクドライブと、前記ディスクドライブに記録情報を供給するとともに読出された情報を処理するデータ処理部と、前記リモートコントローラから供給されたコマンド信号を検出するセンサとを備え、前記制御部は、前記センサにより検出されたコマンド信号を判定する操作入力判定部を有している請求項７ないし９のいずれか１項に記載の記録再生システム。
【発明の詳細な説明】
【技術分野】
【０００１】
この発明は、記録再生装置の遠隔操作に用いるリモートコントローラ、およびこれを備えた記録再生システムに関する。
【背景技術】
【０００２】
近年、ＣＤプレーヤ、ビデオテープレコーダ、ＤＶＤレコーダ、ハードディスクレコーダ等の音楽記録再生装置や画像記録再生装置が広く用いられている。例えば、画像記録再生装置は、記憶媒体の大容量化が進み、また記録媒体として種類の異なる複数の記録媒体を使用可能に構成されている。また、種類の異なる複数の記録装置をネットワークを介して外部接続できるようになった。更に、画像記録再生装置は、基本的な記録、再生機能に加え、編集機能、テレビ番組選択機能等、多種の機能を備えるようになってきている。
【０００３】
多くの場合、記録再生装置は、リモートコントローラからのコマンド信号により遠隔操作可能に構成されている。リモートコントローラには、記録再生装置の機能に合わせて多種の操作ボタンが設けられている（例えば、特許文献１）。更に、画像記録再生装置のリモートコントローラには、画像記録再生装置用の操作ボタンに加えて、テレビジョン等の画像表示装置を操作するめの操作ボタンも設けられている。
【特許文献１】特開２００３−２６４７１３号公報
【発明の開示】
【発明が解決しようとする課題】
【０００４】
このように、近年の記録再生装置は多数の機能を有し、これに対応して、リモートコントローラにも多種多様の操作ボタンが設けられている。そのため、リモートコントローラの操作は煩雑となり、所望の操作を行うための操作ボタンを選択することが難しいとともに、操作ボタンが実行する機能を理解することも難しい。このようなことから、リモートコントローラは、操作が判りにくく操作性に劣るという問題がある。
【０００５】
この発明は以上の点に鑑みなされたもので、その目的は、操作が判り易く操作性に優れた記録再生装置のリモートコントローラ、およびこれを備えた記録再生システムを提供することにある。
【課題を解決するための手段】
【０００６】
上記目的を達成するため、この発明の態様に係るリモートコントローラは、記録再生装置を遠隔操作するリモートコントローラであって、中心軸を有し矩形状に形成された操作面を具備した本体と、前記操作面に設けられた複数の操作ボタンと、を備え、  
前記操作ボタンは、前記操作面の中心軸上に並んで設けられているとともに前記記録再生装置の基本動作を実行する複数の基本操作ボタンと、それぞれ前記基本操作ボタンの一側に設けられているとともに前記基本動作に付随する送り方向の動作を実行する複数の送り方向操作ボタンと、それぞれ前記基本操作ボタンの他側に設けられているとともに前記基本動作に付随する戻り方向の動作を実行する複数の戻り方向操作ボタンと、を含み、前記基本操作ボタン、送り方向操作ボタン、および戻り方向操作ボタンは、前記操作面の中心軸に対して左右対称に配置されている。
【０００７】
この発明の他の態様に係る記録再生システムは、装置の動作を統括する制御部と、前記制御部の制御に基づいて操作案内用の画面データを選択して出力する案内画面処理制御部とを有した記録再生装置と、前記記録再生装置を遠隔操作するリモートコントローラと、を備え、  
前記リモートコントローラは、操作面を有した本体と、番組表ボタン、表示ボタン、停止ボタン、終了ボタンを含み前記操作面に設けられた複数の操作ボタンと、前記操作ボタンの操作に応じて操作ボタンの機能に対応する送信コードを出力するコード出力部と、出力された送信コードをコマンド信号として送信する送信部と、これらコード出力部および送信部を制御するコントローラ制御部と、を具備し、  
前記記録再生装置の案内画面処理制御部は、前記リモートコントローラの番組表ボタンの操作に応じたコマンド信号が入力された際、番組表を表示する画像データを出力する手段と、前記リモートコントローラの表示ボタンの操作に応じたコマンド信号が入力された際、前記番組表を現在時刻の番組表に切替えて表示する画像データを出力する手段と、を備えている。
【発明の効果】
【０００８】
この発明の態様によれば、操作が判り易く操作性に優れた記録再生装置のリモートコントローラ、およびこれを備えた記録再生システムを提供することができる。
【発明を実施するための最良の形態】
【０００９】
以下図面を参照しながら、この発明の態様に係る記録再生装置およびリモートコントローラを備えた記録再生システムについて詳細に説明する。  
記録再生システムにおいて、記録再生装置は、記録媒体である光ディスクに対して情報の記録、読出しを行う画像記録再生装置として構成されている。また、後述するように、記録再生装置は、他の記録媒体であるハードディスクを備え、このハードディスクに対して情報の記録、読出しを行う。また、記録再生装置は、リモートコントローラから供給されるコマンド信号により、遠隔操作可能に構成されている。
【００１０】
図１に示すように、記録再生装置１０は偏平な矩形箱状に形成された筐体１２を備えている。筐体１２は、平坦な天板、複数の脚が設けられた底板、および鉛直に立設された前面パネル１４を有している。
【００１１】
前面パネル１４には複数の操作ボタンが設けられている。これらの操作ボタンは、記録再生装置の電源をオン・オフするための電源ボタン２４ａ、動作を停止するための停止ボタン２４ｂ、再生ボタン２４ｃ、録画ボタン２４ｄ、ハードディスクドライブ（以下、ＨＤＤと称する）を選択するためのＨＤＤ選択ボタン２６ａ、ＤＶＤドライブを選択するためのＤＶＤ選択ボタン２６ｂ、および、筐体内から光ディスクと取り出すためのイジェクトボタン２０を含んでいる。これらの操作ボタンは、水平方向に沿って一列に並んで設けられている。イジェクトボタン２０は、前面パネル１４の一端部に設けられ、他の操作ボタンから離間している。比較的使用頻度の高い電源ボタン２４ａ、停止ボタン２４ｂ、再生ボタン２４ｃ、録画ボタン２４ｄ、イジェクトボタン２０は、ＨＤＤ選択ボタン２６ａおよびＤＶＤ選択ボタン２６ｂよりも大きく形成されている。複数の操作ボタンの内、例えば、イジェクトボタン２０には、リモートコントローラ３０から供給されたコマンド信号を通過させる受光窓２２が形成されている。
【００１２】
前面パネル１４のほぼ中央部には、筐体１２内に対して光ディスクを装填およびイジェクトするための装填部が設けられている。本実施形態において、装填部は筐体１２から前方へ引き出し可能なディスクトレイ１６により構成されている。ディスクトレイ１６は、イジェクトボタン２０が押されると筐体１２から引き出され、再度イジェクトボタンが押されると筐体１２内に引き込まれ、トレイ上の光ディスクを筐体内に装填する。なお、装填部は、前面パネル１４に開口した挿入スロット等により構成してもよい。
【００１３】
また、前面パネル１４には、記録再生装置の動作状態を表示する表示部１８が設けられ、ディスクトレイ１６とイジェクトボタン２０との間に位置している。更に、前面パネル１４には、比較的使用頻度の少なく複数の図示しない操作ボタンが設けられ、開閉自在なカバー１５によって覆われている。
【００１４】
次に、記録再生装置１０の内部構成について説明する。図２は、記録再生装置の内部構成を概略的に示している。この図に示すように、記録再生装置１０は、２種類のディスクドライブ部を備えている。すなわち、記録再生装置１０は、光ディスク１０１を回転駆動し、情報の読み書きを実行するＤＶＤドライブとしてのディスクドライブ部１０２、およびハードディスクを駆動するハードディスクドライブ（以下、ＨＤＤと称する）部１０４を備えている。光ディスク１０１は、ビデオファイルを構築できる情報記録媒体である。
【００１５】
データ処理部１０３は、ディスクドライブ部１０２及びＨＤＤ部１０４に記録データを供給するとともに、再生された信号を受け取る。ディスクドライブ部１０２は、光ディスク１０１に対する回転制御系、レーザ駆動系、光学系などを有している。データ処理部１０３は、記録または再生単位のデータを取り扱うもので、バッファ回路、変調・復調回路、エラー訂正部などを含んでいる。
【００１６】
記録再生装置１０は、録画側を構成するエンコーダ部２００と、再生側を構成するデコーダ部３００と、装置本体の動作を統括して制御する制御部としてのマイクロコンピュータブロック４００とを主たる構成要素としている。エンコーダ部２００は、入力されたアナログビデオ信号やアナログオーディオ信号をデジタル化するビデオ用及びオーディオ用のアナログデジタルコンバータと、ビデオエンコーダと、オーディオエンコーダとを有している。更に、エンコーダ部２００は、映画の字幕などを圧縮する副映像エンコーダを含んでいる。
【００１７】
エンコーダ部２００の出力は、バッファメモリ２０３を含むフォーマッタ２０４にて所定のＤＶＤ（ＤＶＤ−Ｒ，ＤＶＤ−ＲＷ，ＤＶＤ−ＲＡＭ、など）フォーマットに変換され、先のデータ処理部１０３に供給される。エンコーダ部２００には、Ａ／Ｖ入力部２１１から外部アナログビデオ信号と外部アナログオーディオ信号、あるいはＴＶチューナ部２１２からアナログビデオ信号とアナログオーディオ信号が入力される。なお、エンコーダ部２００は、圧縮されたデジタルビデオ信号やデジタルオーディオ信号が直接入力されるときは、圧縮デジタルビデオ信号やデジタルオーディオ信号を直接フォーマッタ２０４に供給することもできる。またエンコーダ部２００は、アナログデジタル変換されたデジタルビデオ信号及びオーディオ信号を、ビデオミキシング部３０５及びオーディオセレクタ３０１にそれぞれ直接供給することもできる。
【００１８】
エンコーダ部２００に含まれるビデオエンコーダでは、デジタルビデオ信号はＭＰＥＧ２またはＭＰＥＧ１規格に基づいた可変ビットレートで圧縮されたデジタルビデオ信号に変換される。オーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００１９】
副映像信号がＡ／Ｖ入力部２１１から入力された場合（例えば副映像信号の独立出力端子付ＤＶＤビデオプレーヤからの信号など）、あるいはこのようなデータ構成のＤＶＤビデオ信号がＴＶチューナ部２１２で受信された場合は、ＤＶＤビデオ信号中の副映像信号が副映像エンコーダでエンコード（ランレングス符号化）されて副映像のビットマップとなる。
【００２０】
エンコードされたデジタルビデオ信号、デジタルオーディオ信号、副映像データは、フォーマッタ２０４にてパック化され、ビデオパック、オーディオパック、副映像パックとなり、さらにこれらが集合されてＤＶＤ−レコーディング規格（例えばＤＶＤ−ＲＡＭ、ＤＶＤ−Ｒ、ＤＶＤ−ＲＷなどに記録する規格）で規定されたフォーマットに変換される。
【００２１】
記録再生装置１０は、フォーマッタ２０４でフォーマット化された情報（ビデオ、オーディオ、副映像データなどのパック）及び作成された管理情報を、データ処理部１０３を介してＨＤＤ部１０４あるいはディスクドライブ部１０２に供給し、ハードディスクあるいは光ディスク１０１に記録する。また、ハードディスクあるいは光ディスク１０１に記録された情報を、データ処理部１０３、ディスクドライブ部１０２を介して光ディスク１０１あるいはハードディスクに記録することもできる。
【００２２】
また、ハードディスクあるいは光ディスク１０１に記録されている複数番組のビデオオブジェクトを、一部削除したり、異なる番組のオブジェクトをつなげたり、といった編集処理を行うこともできる。これは、ＤＶＤフォーマットが取り扱うデータ単位を定義し、このデータ単位で信号処理することで編集を容易にしているからである。
【００２３】
マイクロコンピュータブロック４００は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。
【００２４】
マイクロコンピュータブロック４００のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００２５】
マイクロコンピュータブロック４００は、システム全体を制御するために必要な情報処理部を有するもので、ワークＲＡＭ、ディレクトリ検出部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備えている。
【００２６】
ＭＰＵの実行結果のうち、ユーザに通知すべき内容は、映像データ記録再生装置の表示部４０２に表示されるか、またはモニターディスプレイにＯＳＤ（オンスクリーンディスプレイ）表示される。前述した複数の操作ボタンを含み、記録再生装置１０を操作するための操作信号を与えるキー入力部４０１は、マイクロコンピュータブロック４００に操作信号を出力する。マイクロコンピュータブロック４００が、ディスクドライブ部１０２、ＨＤＤ部１０４、データ処理部１０３、エンコーダ部２００及び／またはデコーダ部３００などを制御するタイミングは、ＳＴＣ（システムタイムクロック）４０３からの時間データに基づいて設定することができる。  
録画や再生の動作は、通常はＳＴＣ４０３からのタイムクロックに同期して実行されるが、それ以外の処理はＳＴＣ４０３とは独立したタイミングで実行されてもよい。
【００２７】
デコーダ部３００は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。デコーダ部３００は、デコードされた主映像にデコードされた副映像を適宜合成し、主映像にメニュー、ハイライトボタン、字幕やその他の副映像を重ねて出力するビデオプロセッサを備えている。
【００２８】
デコーダ部３００の出力ビデオ信号は、ビデオミキシング部３０５に入力される。ビデオミキシング部３０５では、テキストデータの合成が行われる。ビデオミキシング部３０５には、ＴＶチューナ部２１２やＡ／Ｖ入力部２１１からの信号を直接取り込むラインもまた接続されている。ビデオミキシング部３０５には、バッファとして用いるフレームメモリ３０６が接続されている。ビデオミキシング部３０５の出力がアナログ出力の場合、Ｉ／Ｆ（インタフェース）３０７を介して外部出力され、デジタル出力の場合はデジタルアナログ変換器３０８を介して外部、例えば、モニタ３０９へ出力される。
【００２９】
ビデオミキシング部３０５は、ＧＵＩとしての案内画面を作るための画像信号を出力することができる。この画像信号は、ＯＳＤ（オンスクリーンディスプレイ）と称される場合もある。画像信号は、マイクロコンピュータブロック４００内の案内画面処理制御部４０ｂにより制御されている。
【００３０】
デコーダ部３００の出力オーディオ信号は、セレクタ３０１を介してデジタルアナログ変換器３０２でアナログ変換され外部に出力される。セレクタ３０１は、マイクロコンピュータブロック４００からのセレクト信号により制御される。これによりセレクタ３０１は、ＴＶチューナ部２１２やＡ／Ｖ入力部２１１からのデジタル信号を直接モニタする時、エンコーダ部２００をスルーした信号を直接選択することも可能である。
【００３１】
なお、エンコーダ部２００のフォーマッタ２０４では、録画中、各切り分け情報を作成し、定期的にマイクロコンピュータブロック４００のＭＰＵへ送る（ＧＯＰ先頭割り込み時などの情報）。切り分け情報としては、ＶＯＢＵ（ビデオオブジェクトユニット）のパック数、ＶＯＢＵ先頭からのＩピクチャのエンドアドレス、ＶＯＢＵの再生時間などである。
【００３２】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００３３】
本記録再生装置１０では、ビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００３４】
データ処理部１０３は、エンコーダ部２００のフォーマッタからＶＯＢＵ単位のデータを受け取り、ＣＤＡ単位のデータをディスクドライブ部１０２あるいはＨＤＤ部１０４に供給している。マイクロコンピュータブロック４００のＭＰＵは、記録したデータを再生するのに必要な管理情報を作成し、データ記録終了のコマンドを認識すると、作成した管理情報をデータ処理部１０３に送る。これにより、管理情報がディスクに記録される。従って、エンコードが行われているとき、エンコーダ部２００からマイクロコンピュータブロック４００のＭＰＵは、データ単位の情報（切り分け情報など）を受け取る。また、マイクロコンピュータブロック４００のＭＰＵは、記録開始時には光ディスク及びハードディスクから読み取った管理情報（ファイルシステム）を認識し、各ディスクの未記録エリアを認識し、データ上の記録エリアをデータ処理部１０３を介してディスクに設定している。
【００３５】
マイクロコンピュータブロック４００は、受光センサ４０６からの検出信号が入力される操作入力判定部４０ａを備えている。リモートコントローラ３０から供給されたコマンド信号は、筐体１２のイジェクトボタン２０に設けられた受光窓２２を通り、筐体１２内に配設された受光センサ４０６で検出された後、操作入力判定部４０ａに入力される。入力されたコマンド信号は、操作入力判定部４０ａで判定され、案内画面処理制御部４０ｂの操作入力論理判定部で論理的に判断される。そして、マイクロコンピュータブロック４００は、判断されたコマンド信号に基づいて、対応する構成部を作動させ、コマンド信号に応じた操作を実行する。
【００３６】
次に、記録再生装置１０を遠隔操作するリモートコントローラ３０について説明する。図３はリモートコントローラの操作面を示し、図４は、リモートコントローラのカバーを開放した状態を示している。
【００３７】
図３に示すように、リモートコントローラ３０は、細長い矩形箱状に形成された本体３２を備えている。本体３２は、細長い矩形状の前面および裏面、これら前面および裏面に連続した複数の側面を有している。本体３２の前面は、長手方向に延びた中心軸Ｃを有する操作面３３を構成している。操作面３３には複数の操作ボタンが設けられ、一方の側面には中心軸Ｃと平行な方向に沿ってスライド可能な切替えスイッチ３４が設けられている。
【００３８】
操作面３３に設けられた複数の操作ボタンは、中心軸Ｃに対してほぼ左右対称に配置されている。以下、操作ボタンについて詳細に説明する。操作面３３の上部領域には、記録再生装置を操作する複数の装置操作ボタンと、記録再生装置とは異なる他の装置、ここでは、表示装置、例えばテレビジョン（以下、ＴＶと称する）を操作する複数の他装置操作ボタンと、が設けられている。
【００３９】
装置操作ボタンは、中心軸Ｃに対して操作面３３上部右側の領域Ｒ１に集中して設けられている。装置操作ボタンは、記録再生装置１０の電源をオン・オフする電源ボタン３８ａ、ディスクトレイ１６を開閉する開閉ボタン（イジェクトボタン）４１ａ、記録再生装置１０に内蔵されたテレビチューナ部２１２のチャンネルを切替える一対のチャンネル選択ボタン４２ａ、４３ａ、および記録再生装置の案内画面を表示する表示ボタン４４ａを含んでいる。電源ボタン３８ａおよび開閉ボタン４１ａは、領域Ｒ１内の最上部に左右に並んで設けられている。チャンネル選択ボタン４２ａ、４３ａは、上下に並んで設けられている。
【００４０】
他装置操作ボタンは、中心軸Ｃに対して操作面３３上部左側の領域Ｌ１に集中して設けられている。他装置操作ボタンは、装置操作ボタンと同様の機能を有する操作ボタンを含んで構成されている。すなわち、他装置操作ボタンは、ＴＶの電源をオン・オフする電源ボタン３８ｂ、ＴＶに画像信号を入力する入力を切替える入力切換ボタン４１ｂ、ＴＶに内蔵されたチューナ部のチャンネルを切替える一対のチャンネル選択ボタン４２ｂ、４３ｂ、およびＴＶの音量を調整する一対の音量調整ボタン４４ｂ、４５ｂを含んでいる。電源ボタン３８ａおよび開閉ボタン４１ａは、領域Ｌ１内の最上部に左右に並んで設けられている。チャンネル選択ボタン４２ｂ、４３ｂは、上下に並んで設けられている。
【００４１】
装置操作ボタンと他装置操作ボタンとは、操作面３３の中心軸Ｃに対してほぼ左右対称に設けられている。特に、装置操作ボタンの各操作ボタンと対称な位置に、他装置操作ボタンの同様の機能を有する操作ボタンが配置されている。ここでは、電源ボタン３８ａと電源ボタン３８ｂは左右対称位置に配置され、チャンネル選択ボタン４２ａ、４３ａとチャンネル選択ボタン４２ｂ、４３ｂとは左右対称位置に配置されている。
【００４２】
上記配置とすることにより、装置操作ボタンと他装置操作ボタンとを認識し易くするとともに、同一機能を有した操作ボタンを左右対称位置にあることから判り易く覚え易い。
【００４３】
操作面３３において、領域Ｒ１の下方には、記録再生装置１０のドライブを選択するＨＤＤ選択ボタン４６ａ、ＤＶＤ選択ボタン４８ａが左右に並んで設けられている。領域Ｌ１の下方には、メニュー画面を表示するためのメニューボタン４６ｂおよび番組表を表示するための番組表ボタン４８ｂが左右に並んで設けられている。ＨＤＤ選択ボタン４６ａおよびＤＶＤ選択ボタン４８ａと、メニューボタン４６ｂおよび番組表ボタン４８ｂとは、中心軸Ｃに対して左右対称に配置されている。
【００４４】
操作面３３の長手方向のほぼ中央部において、中心軸Ｃ上には、画面上のカーソルを上下左右に移動させる円形のカーソル操作ボタン５０が設けられている。カーソル操作ボタン５０は、画面上の上下、左右に対応して、ボタンの上部、下部を押下することによりカーソルを上下に移動させ、ボタンの左部、右部を押下することによりカーソルを左右に移動させる。カーソル操作ボタン５０の中心部には、カーソルによる選択状態を決定する決定ボタン５２が設けられている。
【００４５】
操作面３３において、カーソル操作ボタン５０の周囲には、クイックメニューボタン５２ａ、終了ボタン５４ａ、モード選択ボタン５２ｂ、戻るボタン５４ｂが設けられている。クイックメニューボタン５２ａおよび終了ボタン５４ａは中心軸Ｃに対して右側の領域に上下に並んで配置され、モード選択ボタン５２ｂおよび戻るボタン５４ｂは中心軸Ｃに対して左側の領域に上下に並んで配置されているとともに、クイックメニューボタン５２ａおよび終了ボタン５４ａと左右対称位置に配設されている。
【００４６】
後述するように、終了ボタン５４ａは、設定メニューを終了する機能を有し、設定メニューのどの階層レベルの状態からでも１回の操作で設定メニューを終了することができる。戻るボタン５４ｂは、設定メニューの階層レベルを１つ前の階層レベルに戻す機能を有している。
【００４７】
このように、カーソル移動に伴う設定操作を実行する決定ボタン５２、クイックメニューボタン５２ａ、終了ボタン５４ａ、モード選択ボタン５２ｂ、戻るボタン５４ｂをカーソル操作ボタン５０の中心部および周囲に纏めて配置することにより、ボタン操作が容易となり、片手でも操作可能となる。
【００４８】
操作面３３において、カーソル操作ボタン５０の下方に位置した領域Ｂには、記録再生装置１０の基本動作を実行する複数の基本操作ボタン、および複数のサーチ操作系の操作ボタンが設けられている。
【００４９】
基本操作ボタンは、再生動作を実行する再生ボタン５６、動作を停止する停止ボタン５８、一次停止ボタン６０、録画ボタン６２を含んでいる。これらの基本操作ボタンは、操作面３３の中心軸Ｃ上にカーソル操作ボタン５０と並んで設けられている。
【００５０】
サーチ操作系の操作ボタンは、それぞれ基本操作ボタンの一側、ここでは右側に設けられているとともに基本動作に付随する送り方向の動作を実行する複数の送り方向操作ボタンと、それぞれ基本操作ボタンの他側、ここでは左側に設けられているとともに基本動作に付随する戻り方向の動作を実行する複数の戻り方向操作ボタンと、を含んでいる。
【００５１】
送り方向操作ボタンは、再生ボタン５６の右側に設けられた早送り／スローボタン５６ａ、停止ボタン５８の右側に設けられた次ボタン５８ａ、一次停止ボタン６０の右側に設けられたコマ送りボタン６０ａを含んでいる。録画ボタン６２の右側には削除ボタン６２ａが設けられ、送り方向操作ボタンと一列に並んで位置している。
【００５２】
戻り方向操作ボタンは、再生ボタン５６の左側に設けられたスロー／早戻しボタン５６ｂ、停止ボタン５８の左側に設けられた前ボタン５８ｂ、一次停止ボタン６０の左側に設けられたコマ戻しボタン６０ｂを含んでいる。録画ボタン６２の左側には追っかけ再生ボタン６２ｂが設けられ、戻り方向操作ボタンと一列に並んで位置している。
【００５３】
基本操作ボタン、送り方向操作ボタン、戻り方向操作ボタン、削除ボタンおよび追っかけ再生ボタンは、操作面３３の中心軸Ｃに対して左右対称に配置されている。複数の基本操作ボタンは、送り方向操作ボタンおよび戻り方向操作ボタンの寸法よりも大きな寸法に形成され、また、カーソル操作ボタン５０を除く他の操作ボタンよりも大きな寸法に形成されている。送り方向操作ボタンおよび戻り方向操作ボタンはそれぞれ互いに等しい寸法に形成されている。
【００５４】
このように基本操作ボタンを他の操作ボタンよりも大きく形成し、かつ、中心部に並べて配置することにより、基本操作が判り易く操作性が向上する。また、基本操作ボタンを中央に並べて配置するとともに、基本動作に付随する送り方向の操作ボタンを基本操作ボタンの一側に並べて配置し、更に、基本動作に付随する戻り方向の操作ボタンを基本操作ボタンの他側に並べて配置することにより、操作方向のボタンを認識し易く、かつ、基本操作との関連性を容易に判断することができ、操作性向上を図ることができる。
【００５５】
操作面３３の領域Ｂにおいて、基本操作ボタン、送り方向操作ボタン、戻り方向操作ボタン、削除ボタン６２ａおよび追っかけ再生ボタン６２ｂの近傍には、それぞれ１〜９、０、＋１０の数字、および「クリア」が表示されている。また、本体３２の側面には、所定の操作ボタンの機能を操作モード用ボタンと数字入力用ボタンとに切替えるスライド式の切替えスイッチ３４が設けられている。基本操作ボタン、送り方向操作ボタン、戻り方向操作ボタン、削除ボタン６２ａおよび追っかけ再生ボタン６２ｂは、切替えスイッチ３４を「操作」側に切替えた場合、操作モード用の送信コードを送信し、切替えスイッチ３４を「数字」側に切替えた場合、数字入力用の送信コードを送信しいわゆるテンキーとして使用することが可能となる。
【００５６】
このように切替えスイッチ３４を切替えることにより、所定の操作ボタンを操作モード用ボタンおよび数字入力用ボタンとして併用することができる。そのため、独立した数字入力ボタンを設ける必要がなく、少ないボタンで数字入力機能を実現することが可能となる。
【００５７】
図３および図４に示すように、操作面３３の下部領域には、比較的使用頻度の少ない複数の操作ボタン６４が設けられている。また、操作面３３の下部領域には、中心軸Ｃと平行な方向に沿ってスライド自在なカバー６６が設けられている。カバー６６の左右両側部には、指を掛ける滑り止めようの突起部６８がそれぞれ設けられている。図３に示すように、カバー６６が閉塞位置へスライドされると、複数の操作ボタン６４はカバー６６によって覆い隠される。図４に示すように、カバー６６が開放位置へスライドされると、複数の操作ボタン６４は操作面３３に露出し操作可能となる。このように、使用頻度の低い操作ボタン６４をカバー６６によって覆い隠すことにより、通常の操作時、操作ボタンの多さによる紛らわしさを軽減し、操作性向上を図ることができる。
【００５８】
以上のことから、操作が判り易く操作性に優れた記録再生装置のリモートコントローラが得られる。リモートコントローラ３０は、各操作ボタンが押下された際、これを検知して操作ボタンの機能に対応する送信コードを出力するコード出力部、出力された送信コードを、例えば、赤外線によりコマンド信号として送信する送信部、およびこれらコード出力部および送信部を制御する制御部を備えている。そして、リモートコントローラは、押下された操作ボタンに対応するコマンド信号を記録再生装置１０に送信し、記録再生装置を遠隔操作する。
【００５９】
図５は、例えば、録画予約の目的でリモートコントローラ３０の番組表ボタン４８ｂが押されると、モニタ３０９に表示される番組表メインメニュー画面７０Ａの例を示している。  
番組表メインメニュー画面７０Ａには、項目として、「全チャンネル一覧」、「チャンネル別一覧」、「番組リスト１〜５」、「検索」などがある。ユーザが希望とする項目をカーソル操作ボタン５０によりカーソルを移動させて選択し、決定ボタン５２を押すことで、項目名に対応した番組表をモニタ３０９に表示させることができる。
【００６０】
項目名を見ただけでは、具体的な意味内容が十分に把握できない場合がある。そこで、この装置では、カーソルが項目を指定（ポイント）した状態で、右側にポイントされている項目を選択したときに得られる機能がコメントして表示される。図示の例では、「全チャネル一覧」が指定されると、「番組ナビ設定で指定された全チャンネルの番組を、最大８日分まで表示し、録画予約をすることができます。」が表示される。
【００６１】
また、番組表を、前回表示した日と同日中に表示する場合、前回と閉じた時と同じ日時の番組表が表示される。番組表を現在の日時の表示に変える場合には、リモートコントローラ３０の表示ボタン４４ａを押下する。すると、図６に示すように、番組表メインメニュー画面７０Ａは現在時間の表示に切り替わる。
【００６２】
図７には、番組表メインメニュー画面７０Ａから、「チャンネル別一覧」という項目が選択され、かつ決定された後に表示されるチャンネル別一覧画面７０Ｂを示している。このチャンネル別一覧画面７０Ｂには、「チャンネル」、「テレビ局名」、「日時に対応する番組名」などの項目が現れる。ここで、カーソル操作ボタン５０の操作により、録画予約を希望する番組がポイントされ、決定ボタン５２が押されと、図８に示すように、録画予約画面７０Ｃがモニタ３０９に表示される。
【００６３】
録画予約画面７０Ｃには、番組表で選択、決定した「番組名」、「テレビ局名」、「予約ＣＨ」、「日付」、「開始−終了時刻」、「記録先」、「画質」、「音質」、「予約名変更」、「詳細設定」、「予約キャンセル」、「登録」などの項目が現れる。録画予約内容を確認した後、変更がない場合には、リモートコントローラ３０のカーソル操作ボタン５０によりカーソルを移動させて「登録」を選択し、決定ボタン５２を押すことで、録画予約が終了する。また、「登録」が選択、決定されると、チャンネル別一覧画面７０Ｂが表示され、録画予約した番組は表示色が赤に変わって表示される。
【００６４】
上述したような複数の設定メニューの内、どの各階層レベルの設定メニューが表示されている状態でも、リモートコントローラ３０の終了ボタン５４ａを１回押下することにより、設定メニューが終了される。また、リモートコントローラ３０の戻るボタン５４ｂが押下されると、設定メニューの階層レベルが１つ前の階層レベルに戻される。例えば、図９に示した録画予約画面７０Ｃを表示した状態において、戻るボタン５４ｂが押下されると、図９に示すように、１つ前のチャンネル別一覧画面７０Ｂがモニタ３０９に表示される。
【００６５】
上記のようにして録画予約した番組を記録再生装置１０により録画している状態において、録画を途中で停止する場合、リモートコントローラ３０のＨＤＤ選択ボタン４６ａあるいはＤＶＤ選択ボタン４８ａを押下して録画先を選択した後、停止ボタン５８を押下する。これにより、途中で予約録画を停止することができる。
【００６６】
上記のように構成された記録再生装置１０およびリモートコントローラ３０では、上述した表示ボタン４４ａ、終了ボタン５４ａ、戻るボタン５４ｂ、および停止ボタン５８を有することにより、操作性の向上を図ることができる。
【００６７】
図１０には、記録再生装置１０の案内画面処理制御部４０ｂに含まれる各種の機能ブロックを示している。リモートコントローラ３０から供給されたコマンド信号は、受光センサ４０６で検出された後、操作入力判定部４０ａに入力される。入力されたコマンド信号は、操作入力判定部４０ａで判定され、案内画面処理制御部４０ｂの、操作入力論理判定部４０ｂ１で論理的に判断される。いまリモートコントローラ３０でメニューボタン４６ｂが操作されたとすると、メニュー画面データ出力部４０ｂ２はメニュー画面データを出力するように命令される。メニュー画面データ出力部４０ｂ２は、画像データメモリ４０ｂ５から画像データを読出し、これをオンスクリーンデータとして、Ｖミキシング部３０５へ出力する。また操作入力論理判定部４０ｂ１は、カーソル移動制御部４０ｂ３に対しても指令を与える。最初は、カーソルのデフォルトの位置を指令する。カーソル移動制御部４０ｂ３は、カーソル移動制御信号を受けて、カーソルデータ出力部４０ｂ４を制御し、カーソルデータの出力タイミングを制御している。リモートコントローラ３０のカーソル操作ボタン５０が操作されることにより、カーソルが移動されると、コメントデータ出力部４０ｂ６から、カーソル位置に対応したコメントデータが出力される。これにより、ユーザは画面上でカーソルがポイントしている項目の意味内容を理解することができる。
【００６８】
メニュー画面の中から、所望の項目が選択されて、決定されると、操作入力論理判定部４０ｂ１が操作入力を論理的に判定し、次の画面データ選択部４０ｂ７を制御する。この次の画面データ選択部４０ｂ７は、画像データメモリ４０ｂ５から操作内容に対応した画面のデータを読出し、選択画面データ出力部４０ｂ８に与える。したがって、選択画面データ出力部４０ｂ８は、次の画面を出力する。この画面は、例えば、先に説明したようにメニュー画面の次に表示される画面、及びその次に表示される画面である。
【００６９】
図９には、上述した機能ブロックの動作をフローチャートで示している。リモートコントローラ３０のメニューボタン４６ｂが操作されると、メニュー画面データが出力される（ステップＳＡ１、ＳＡ２）。次にカーソルが上下方向に移動制御され、１つの項目を選択して指定すると、カーソルの移動位置の項目に対応したコメントが表示される（ステップＳＡ３、ＳＡ４）。次に決定キーがおされると、メニュー画面に対する下位の画面が表示されることになる。この下位の画面において、複数の選択項目がある場合には、上記ステップＡ３、Ａ４と同様な処理が実行される。そして最終的な下位の画面において、データ入力あるいは選択処理が終了すると、終了ボタンが選択されて決定ボタンが押される（ステップＳＡ５，ＳＡ６）。これにより、設定した機能が実行されることになる（ステップＳＡ７）。
【００７０】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００７１】
例えば、この発明は、前述したが画像記録再生装置およびそのリモートコントローラに限らず、ＭＤプレーヤ、ハードディスクレコーダ、ＣＤプレーヤ等の音楽記録再生装置や他の画像記録再生装置、あるいは表示装置、その他、リモートコントローラによって遠隔操作可能な種々の電子機器、およびこれらの電子機器に用いられるリモートコントローラに適用可能である。
【図面の簡単な説明】
【００７２】
【図１】図１は、この発明の実施形態に係る記録再生システムの記録再生装置およびリモートコントローラを示す斜視図。
【図２】図２は、前記記録再生装置の内部構造を概略的に示すブロック図。
【図３】図３は、前記リモートコントローラを示す平面図。
【図４】図４は、カバーを開放した状態の前記リモートコントローラを示す平面図。
【図５】図５は、前記リモートコントローラの操作に応じてモニタの画面に表示される番組表メインメニュー画面の一例を示す図。
【図６】図６は、前記リモートコントローラの操作に応じてモニタの画面に表示される番組表メインメニュー画面の一例を示す図。
【図７】図７は、前記リモートコントローラの操作に応じてモニタの画面に表示されるチャンネル別一覧画面の一例を示す図。
【図８】図８は、前記リモートコントローラの操作に応じてモニタの画面に表示される録画予約画面の一例を示す図。
【図９】図９は、前記リモートコントローラの操作に応じてモニタの画面に表示されるチャンネル別一覧画面の一例を示す図。
【図１０】図１０は、前記記録再生装置における案内画面処理制御部の構成を概略的に示すブロック図。
【図１１】図１１は、前記案内画面処理制御部の動作を示すフローチャートである。
【符号の説明】
【００７３】
１０…記録再生装置、  １２…筐体、  １４…前面パネル、  ２２…受光窓、
３０…リモートコントローラ、  ３２…本体、  ３３…操作面、
４４ａ…表示ボタン、  ５４ａ…終了ボタン、  ５４ｂ…戻るボタン、
５０…カーソル操作ボタン、  ５２…決定ボタン、  ５６…再生ボタン、
５８…停止ボタン、  ６０…一時停止ボタン、  ６２…録画ボタン、
３０…リモートコントローラ、  ３２…保護カバー、  ５０…プリント回路基板、
１０１…光ディスク、  １０２…ディスクドライブ部、  １０４…ＨＤＤ部、
４００…マクロコンピュータブロック、  ４０６…受光センサ
【図１】
2006324823.tif 000003
【図２】
2006324823.tif 000004
【図３】
2006324823.tif 000005
【図４】
2006324823.tif 000006
【図５】
2006324823.tif 000007
【図６】
2006324823.tif 000008
【図７】
2006324823.tif 000009
【図８】
2006324823.tif 000010
【図９】
2006324823.tif 000011
【図１０】
2006324823.tif 000012
【図１１】
2006324823.tif 000013